(57)【要約】【課題】検出コイルを効率よく冷却可能なＳＱＵＩＤセンサ用デュワを提供する。【解決手段】冷媒（１）を貯留する冷媒容器（１１）に環状中空部（１１ａ）を設け、該環状中空部（１１ａ）を例えば超伝導材料管で構成し、ＳＱＵＩＤセンサの検出コイルとして機能させる。【効果】検出コイルを冷媒（１）で直接冷却することが出来るため、検出コイルの貫通孔のサイズを数ｍ程度にすることも可能になる。、試料（Ｓ）自体を冷却する必要もなくなる。【選択図】図１
2007005514.tif 000002
【特許請求の範囲】
【請求項１】
ＳＱＵＩＤセンサの検出コイル（９ａ，９ｂ）として機能する環状中空部（１１ａ，１１ｂ）を有し該環状中空部（１１ａ，１１ｂ）に冷媒（１）を貯留する冷媒容器（１１）と、前記冷媒容器（１１）の周りを囲繞する真空容器（２）とを具備したことを特徴とするＳＱＵＩＤセンサ用デュワ（１０）。
【請求項２】
ＳＱＵＩＤセンサの環状の検出コイル（９ａ，９ｂ）を収容するための環状中空部（２１ａ）を有し該環状中空部（２１ａ）に冷媒（１）を貯留する冷媒容器（２１）と、前記冷媒容器（２１）の周りを囲繞する真空容器（２）とを具備したことを特徴とするＳＱＵＩＤセンサ用デュワ（２０）。
【請求項３】
環状中空部を有し該環状中空部に冷媒を貯留する冷媒容器および前記冷媒容器の周りを囲繞する真空容器とを有するＳＱＵＩＤセンサ用デュワと、前記環状中空部自体により構成されるか又は前記環状中空部に収容される環状の第１の検出コイルおよび第２の検出コイルと、前記第１の検出コイルおよび前記第２の検出コイルを逆位相で直列接続した直列回路が接続されるＳＱＵＩＤとを具備したことを特徴とするＳＱＵＩＤセンサ。
【発明の詳細な説明】
【技術分野】
【０００１】
本発明は、ＳＱＵＩＤセンサ用デュワおよびＳＱＵＩＤセンサに関し、さらに詳しくは、検出コイルを効率よく冷却可能なＳＱＵＩＤセンサ用デュワおよび外部ノイズの影響を受けにくいＳＱＵＩＤセンサに関する。
【背景技術】
【０００２】
従来、環状の検出コイルの貫通孔に試料を通して磁気を測定する方式のＳＱＵＩＤ磁気センサが知られている（例えば、特許文献１参照。）。
【０００３】
【特許文献１】特開２００３−２０７５１１号公報
【発明の開示】
【発明が解決しようとする課題】
【０００４】
上記ＳＱＵＩＤ磁気センサでは、検出コイルを銅伝熱ロッドに貼りつけてあり、銅伝熱ロッドを介して検出コイルを冷却している。
しかし、このような間接的な冷却方式では、検出コイルの冷却効率が悪く、検出コイルの温度上昇を防ぐため、検出コイルの貫通孔のサイズが数ｍｍ以下に制限されたり、試料自体を冷却しなければならない問題点があった。
また、検出コイルに鎖交する外部ノイズの影響を受けやすい問題点があった。
そこで、本発明の目的は、検出コイルを効率よく冷却可能なＳＱＵＩＤセンサ用デュワおよび外部ノイズの影響を受けにくいＳＱＵＩＤセンサを提供することにある。
【課題を解決するための手段】
【０００５】
第１の観点では、本発明は、ＳＱＵＩＤセンサの検出コイル（９ａ，９ｂ）として機能する環状中空部（１１ａ，１１ｂ）を有し該環状中空部（１１ａ，１１ｂ）に冷媒（１）を貯留する冷媒容器（１１）と、前記冷媒容器（１１）の周りを囲繞する真空容器（２）とを具備したことを特徴とするＳＱＵＩＤセンサ用デュワ（１０）を提供する。
上記第１の観点によるＳＱＵＩＤセンサ用デュワ（１０）では、冷媒（１）を貯留する冷媒容器（１１）に環状中空部（１１ａ，１１ｂ）を設け、該環状中空部（１１ａ，１１ｂ）を例えば超伝導材料管で構成し、ＳＱＵＩＤセンサの検出コイル（９ａ，９ｂ）として機能させる。これにより、検出コイル（９ａ，９ｂ）を冷媒（１）で直接冷却することが出来るため、検出コイル（９ａ，９ｂ）の貫通孔のサイズを数ｍ程度にすることも可能になる。また、試料（Ｓ）自体を冷却する必要もなくなる。
【０００６】
第２の観点では、本発明は、ＳＱＵＩＤセンサの環状の検出コイル（９ａ，９ｂ）を収容するための環状中空部（２１ａ）を有し該環状中空部（２１ａ）に冷媒（１）を貯留する冷媒容器（２１）と、前記冷媒容器（２１）の周りを囲繞する真空容器（２）とを具備したことを特徴とするＳＱＵＩＤセンサ用デュワ（２０）を提供する。
上記第２の観点によるＳＱＵＩＤセンサ用デュワ（２０）では、冷媒（１）を貯留する冷媒容器（１１）に環状中空部（１１ａ）を設け、該環状中空部（１１ａ）にＳＱＵＩＤセンサの検出コイル（９ａ，９ｂ）を収容する。これにより、検出コイル（９ａ，９ｂ）を冷媒（１）で直接冷却することが出来るため、検出コイル（９ａ，９ｂ）の貫通孔（３）のサイズを数ｍ程度にすることも可能になる。また、試料（Ｓ）自体を冷却する必要もなくなる。
【０００７】
第３の観点では、本発明は、環状中空部を有し該環状中空部に冷媒を貯留する冷媒容器および前記冷媒容器の周りを囲繞する真空容器とを有するＳＱＵＩＤセンサ用デュワと、前記環状中空部自体により構成されるか又は前記環状中空部に収容される環状の第１の検出コイルおよび第２の検出コイルと、前記第１の検出コイルおよび前記第２の検出コイルを逆位相で直列接続した直列回路が接続されるＳＱＵＩＤとを具備したことを特徴とするＳＱＵＩＤセンサを提供する。
上記第３の観点によるＳＱＵＩＤセンサでは、第１の検出コイルおよび第２の検出コイルを冷媒で直接冷却することが出来るため、第１の検出コイルおよび第２の検出コイルの貫通孔のサイズを数ｍ程度にすることも可能になる。また、試料自体を冷却する必要もなくなる。さらに、第１の検出コイルおよび第２の検出コイルを逆位相で直列接続しているため、第１の検出コイルと第２の検出コイルの間隔に比べて十分遠方から飛来する外部ノイズをキャンセルでき、外部ノイズの影響を受けにくくなる。
【発明の効果】
【０００８】
本発明のＳＱＵＩＤセンサ用デュワによれば、検出コイルを効率よく冷却できるため、検出コイル（９）の貫通孔（３）のサイズを数ｍ程度にすることも可能になる。また、試料（Ｓ）自体を冷却する必要もなくなる。また、本発明のＳＱＵＩＤセンサによれば、外部ノイズの影響を受けにくくなる。これにより、例えばボーリングした長尺の地質試料の磁気測定やプラントの配管の磁気的検査等が可能になる。
【発明を実施するための最良の形態】
【０００９】
以下、図に示す実施例により本発明をさらに詳細に説明する。なお、これにより本発明が限定されるものではない。
【実施例１】
【００１０】
図１および図２は、実施例１に係るＳＱＵＩＤセンサ用デュワ１０を備えたＳＱＵＩＤセンサ１００を示す断面図である。
ＳＱＵＩＤセンサ用デュワ１０は、例えば液体ヘリウムの冷媒１を貯留する冷媒容器１１と、冷媒容器１１の周りを囲繞する真空容器２とを備えている。
【００１１】
冷媒容器１１は、冷媒１を多量に貯留しうる冷媒貯留部１１ｃと、例えばニオブのような超伝導材料のパイプを環状（１カ所は切れている）に成形した環状中空部１１ａ，１１ｂとからなる。環状中空部１１ａ，１１ｂの内部にも冷媒１が満たされている。冷媒１は、冷媒給排管８から冷媒貯留部１１ｃに補充される。
【００１２】
図３に示すように、環状中空部１１ａ，１１ｂの同側の端部は互いに接続されると共に残りの端部はＳＱＵＩＤ５に接続されている。これにより、環状中空部１１ａは第１の検出コイル９ａとして機能し、環状中空部１１ｂは第２の検出コイル９ｂとして機能する。但し、ＳＱＵＩＤ５に対して逆位相になる。
【００１３】
ＳＱＵＩＤ５は、支持板６で支持されている。また、ＳＱＵＩＤ５からリード線７が外部に導出されている。
【００１４】
冷媒容器１１と真空容器２の間は、真空断熱されている。また、例えば銅製の熱シールド４で熱的に遮蔽されている。
環状中空部１１ａ，１１ｂを囲繞している熱シールド４の一部は、例えばＦＲＰのような絶縁材料製の絶縁部４ａになっている。これは、環状中空部１１ａ、１ｂを囲繞している熱シールド４が電気的ループになってコイルとして機能するのを防止するためである。
【００１５】
貫通孔３の実質的な内径は、冷媒容器１１の環状中空部１１ａ，１１ｂを囲繞する真空容器２の環状中空部２ａの貫通孔の内径になり、例えば２０ｃｍ〜２ｍである。
【００１６】
図３は、ＳＱＵＩＤセンサ１００による測定例を示す側面図である。
長尺の試料Ｓを貫通孔３に通し、ＳＱＵＩＤセンサ１００を移動させて試料Ｓの磁気を測定する。
試料Ｓは、例えばボーリングした長尺の地質試料や，プラントの配管である。
【００１７】
実施例１のＳＱＵＩＤセンサ用デュワ１０によれば、冷媒１を貯留する冷媒容器１１に環状中空部１１ａ，１１ｂを設け、該環状中空部１１ａ，１１ｂをＳＱＵＩＤセンサの検出コイル９ａ，９ｂとして機能させるため、検出コイル９ａ，９ｂを冷媒１で直接的に効率よく冷却することが出来る。これにより、貫通孔３のサイズを数ｍ程度にすることも可能になる。また、試料Ｓ自体を冷却する必要もなくなる（冷却してもよい）。
さらに、実施例１のＳＱＵＩＤセンサ１００によれば、検出コイル９ａ，９ｂが逆位相で直列接続されているため、第１の検出コイル９ａ（１１ａ）と第２の検出コイル９ｂ（１１ｂ）の間隔Ｌに比べて十分遠方から飛来する外部ノイズをキャンセルでき、外部ノイズの影響を受けにくくなる。
【実施例２】
【００１８】
図４および図５は、実施例２に係るＳＱＵＩＤセンサ用デュワ２０を備えたＳＱＵＩＤセンサ２００を示す断面図である。
ＳＱＵＩＤセンサ用デュワ２０は、例えば液体ヘリウムの冷媒１を貯留する冷媒容器２１と、冷媒容器２１の周りを囲繞する真空容器２とを備えている。
【００１９】
冷媒容器２１は、冷媒１を多量に貯留しうる冷媒貯留部１１ｃと、例えばＦＲＰのような絶縁材料製の環状中空部２１ａとからなる。環状中空部２１ａの内部にも冷媒１が満たされている。冷媒１は、冷媒給排管８から冷媒貯留部１１ｃに補充される。
【００２０】
環状中空部２１ａの内部には、例えばニオブ線のような超伝導材料線からなる検出コイル９ａ，９ｂが収容されている。
図６に示すように、検出コイル９ａ，９ｂの同側の端部は互いに接続されると共に残りの端部はＳＱＵＩＤ５に接続されている。これにより、第１の検出コイル９ａと第２の検出コイル９ｂは、ＳＱＵＩＤ５に対して逆位相になる。
【００２１】
ＳＱＵＩＤ５は、支持板６で支持されている。また、ＳＱＵＩＤ５からリード線７が外部に導出されている。
【００２２】
冷媒容器２１と真空容器２の間は、真空断熱されている。また、例えば銅製の熱シールド４で熱的に遮蔽されている。
環状中空部２１ａを囲繞している熱シールド４の一部は、例えばＦＲＰのような絶縁材料製の絶縁部４ａになっている。これは、環状中空部２１ａを囲繞している熱シールド４が電気的ループになってコイルとして機能するのを防止するためである。
【００２３】
貫通孔３の実質的な内径は、冷媒容器２１の環状中空部２１ａを囲繞する真空容器２の環状中空部２ａの貫通孔の内径になり、例えば２０ｃｍ〜２ｍである。
【００２４】
図６は、ＳＱＵＩＤセンサ２００による測定例を示す側面図である。
試料搬送装置Ｖで搬送してきた試料Ｓを貫通孔３に通して磁気を測定する。
試料Ｓは、例えば密封された食品であり、異物の混入を磁気により検査する。
【００２５】
実施例２のＳＱＵＩＤセンサ用デュワ２０によれば、冷媒１を貯留する冷媒容器２１に環状中空部２１ａを設け、該環状中空部２１ａに検出コイル９ａ，９ｂを収容するため、検出コイル９ａ，９ｂを冷媒１で直接的に効率よく冷却することが出来る。これにより、貫通孔３のサイズを数ｍ程度にすることも可能になる。また、試料Ｓ自体を冷却する必要もなくなる（冷却してもよい）。
さらに、実施例２のＳＱＵＩＤセンサ２００によれば、検出コイル９ａ，９ｂが逆位相で直列接続されているため、第１の検出コイル９ａと第２の検出コイル９ｂの間隔Ｌに比べて十分遠方から飛来する外部ノイズをキャンセルでき、外部ノイズの影響を受けにくくなる。
【産業上の利用可能性】
【００２６】
本発明のＳＱＵＩＤセンサ用デュワは、ＳＱＵＩＤセンサに利用できる。
【図面の簡単な説明】
【００２７】
【図１】実施例１に係るＳＱＵＩＤセンサ用デュワを含むＳＱＵＩＤセンサを示す断面図である。
【図２】実施例１に係るＳＱＵＩＤセンサ用デュワを含むＳＱＵＩＤセンサを示す断面図である（図１の断面と直交する断面）。
【図３】実施例１に係るＳＱＵＩＤセンサの使用例を示す側面図である。
【図４】実施例２に係るＳＱＵＩＤセンサ用デュワを含むＳＱＵＩＤセンサを示す断面図である。
【図５】実施例２に係るＳＱＵＩＤセンサ用デュワを含むＳＱＵＩＤセンサを示す断面図である（図４の断面と直交する断面）。
【図６】実施例２に係るＳＱＵＩＤセンサの使用例を示す側面図である。
【符号の説明】
【００２８】
１                          ＳＱＵＩＤ冷却用冷媒
２                          真空容器
２ａ                        環状中空部
３                          貫通孔
４                          熱シールド
５                          ＳＱＵＩＤ
６                          支持板
７                          リード線
９ａ                        第１の検出コイル
９ｂ                        第２の検出コイル
１０，２０                  ＳＱＵＩＤセンサ用デュワ
１１，２１                  冷媒容器
１１ａ，１１ｂ，１２ａ      環状中空部
１００，２００              ＳＱＵＩＤセンサ
【図１】
2007005514.tif 000003
【図２】
2007005514.tif 000004
【図３】
2007005514.tif 000005
【図４】
2007005514.tif 000006
【図５】
2007005514.tif 000007
【図６】
2007005514.tif 000008